(57)【要約】【課題】ベッドなどに横になることで人の顔が横向きになっていても見やすいように、テレビなどの画像表示器３の支持角度を変更することができる支持装置を提供する。【解決手段】画像表示器３を取り付けるフレーム５の周囲の３箇所以上に設けられた車輪７が、円リング状のレール９に、嵌合して移動する。円リング状のレール９は、画像表示器３の画面に略平行な面内に配置され、起こした状態で支持される。移動により変更された画像表示器３の回動角度は、ストッパー１３により所定位置で固定される。【選択図】図1
2008298806.tif 000002
【特許請求の範囲】
【請求項１】
画像表示器を取り付けるフレームと、このフレームの周囲の３箇所以上に設けられた車輪と、これらの車輪が嵌合して移動でき、前記画像表示器の画面に略平行な面内に配置される円リング状のレールと、このレールを起こした状態で支持する支持部と、前記移動により変更された前記画像表示器の前記面内の回動角度を所定位置で固定するストッパーと、を有することを特徴とする画像表示器支持装置。
【請求項２】
前記車輪は、前記フレームの周囲の４箇所に設けられ、前記レールは、アルミパイプからなり断面は円形を有し、この円形に対応して前記車輪が嵌合する嵌合溝は略半円形を有し、前記ストッパーは、前記フレーム側に設けられた第１ピン孔と、前記円リング状レールから延設された延設部分に設けられた第２ピン孔と、これら両ピン孔に挿通されるストッパーピンと、からなることを特徴とする請求項１に記載の画像表示器支持装置。
【発明の詳細な説明】
【技術分野】
【０００１】
この発明は、テレビなどの画像表示器を支持する支持装置に関し、詳しくは、ベッドなどに横になった人が見やすいように画像表示器の支持角度を変更することができる支持装置の構造に関する。
【背景技術】
【０００２】
テレビなどの画像表示器の支持角度を変更することができる装置には、いくつかのものが開示されている。
たとえば、下記の特許文献１には、ベットに寝ている人がテレビを見やすいように、テレビを上下に首振りして回動するものが開示される。
また、特許文献２には、やはりベットに寝ている人がテレビを見やすいように、テレビを上下及び左右に首振りして回動するものが開示される。
また、特許文献３には、カーテレビのテレビを見やすいように、上向きのテレビ画面を、画面に垂直な垂直面内で任意の角度に調整する技術が開示される。
また、特許文献４には、ベットサイドのスタンドでテレビを任意の位置に掲げ、上下及び左右に首振りして回動するものが開示される。
【特許文献１】特開平06-118880
【特許文献２】特開平11-276530
【特許文献３】特開平11-321472
【特許文献４】実用新案登録3071020
【発明の開示】
【発明が解決しようとする課題】
【０００３】
しかしながら、以上の特許文献に開示されるものは、上下及び左右に首振りして回動するものであり、ベッドなどに横になった人の顔が横向きになっていることに対応して回動できるものではない。
すなわち、上下の首振りは、画面に垂直な垂直面内での回動であり、左右の首振りは、画面に直交する水平面内での回動であるので、テレビと顔との上下方向の位置関係、左右方向の位置関係のずれに対する対応は可能である。しかし、テレビと顔との位置関係のずれではなく、テレビに対して人の顔が横向きになっているという姿勢のずれに対しては、対応できない。このため、顔が横向きになっているとテレビが見にくいという問題は解決できなかった。
【０００４】
この発明は、以上の課題を解決するために、テレビなどの画像表示器に対して人の顔が横向きになっているなどという姿勢のずれに対しても回動して対応できる画像表示器支持装置を提供することを目的とする。
【課題を解決するための手段】
【０００５】
以上の課題を解決するために、第一発明は、画像表示器を取り付けるフレームと、このフレームの周囲の３箇所以上に設けられた車輪と、これらの車輪が嵌合して移動でき、前記画像表示器の画面に略平行な面内に配置される円リング状のレールと、このレールを起こした状態で支持する支持部と、前記移動により変更された前記画像表示器の前記面内の回動角度を所定位置で固定するストッパーと、を有することを特徴とする画像表示器支持装置である。
【０００６】
第二発明は、さらに、前記車輪は、前記フレームの周囲の４箇所に設けられ、前記レールは、アルミパイプからなり断面は円形を有し、この円形に対応して前記車輪が嵌合する嵌合溝は略半円形を有し、前記ストッパーは、前記フレーム側に設けられた第１ピン孔と、前記円リング状レールから延設された延設部分に設けられた第２ピン孔と、これら両ピン孔に挿通されるストッパーピンと、からなることを特徴とする画像表示器支持装置である。
【発明の効果】
【０００７】
第一、又は第二発明によれば、円リング状のレール上を車輪により移動し画像表示器の回動角度を変更することで、画像表示器に対して人の顔の姿勢がずれていても、画像表示器の姿勢を変更できることとなり、両者の姿勢を一致させることで対応し画像表示器を見やすくできる。
【０００８】
第二発明によれば、さらに、車輪を４箇所に設けることで支持が安定する。また、レールを円形断面のアルミパイプとすることで、レールを安価に製造でき、装置コストを抑えられる。さらに、ストッパーは、二つのピン孔に挿通されるストッパーピンにより構成することで、ストッパー機能を確実なものとし、簡易な構成により装置コストを抑えられる。
【発明を実施するための最良の形態】
【０００９】
この発明の実施形態を、図１〜図３、及び図４（Ａ）に示す。
（装置の概略）
この実施形態に係る画像表示器支持装置１の概略を図１〜図３に示す。
テレビなどの画像表示器３はフレーム５に取り付けられる。フレーム５の周囲の４箇所には車輪７が設けられる。これら車輪７はレール９に嵌合して移動する。レール９は、円リング状をなし、画像表示器３の画面に略平行な面内に配置され、起こした状態で、支持部１１に支持される。よって、画像表示器３は、画面に略平行な面内で回動可能になる（図２）。そして、変更された画像表示器３の回動角度は、ストッパー１３により所定位置で固定される。
【００１０】
（画像表示器３）
画像表示器３としては、テレビやビデオなどの表示器、パソコンの画像表示器３、ムービーカメラの表示器、などが対象になる。
（フレーム５）
所定のサイズの画像表示器３に専用のフレーム５とする。
もっとも、サイズの異なる画像表示器３を取り付ける構造とすることもできる。この場合のフレーム５は、図示しないものの、たとえば、金属製の枠１５と、その内部に張られた金属製の網状部分からなる。そして、複数の爪状の金具により画像表示器３の縁部周囲の複数箇所を係止し、係止した金具の後端を網部の背部へ通し、この後端に形成された雄ねじ、ナットの雌ねじを螺合させて、画像表示器３の取り付けを行う。
【００１１】
（レール９）
レール９は、円リング状をなす。この円リングの配置は、画像表示器３の画面に平行な面内に行われる。円リング状のレール９は、起こした状態で、支持部１１に支持される。レール９は、アルミパイプからなり断面は円形を有する。
【００１２】
（車輪７）
フレーム５の周囲の４箇所に車軸１７が固定され車輪７が設けられる。図４（Ａ）に示すように、車輪７には、レール９に嵌合するための嵌合溝１９が形成される。嵌合溝１９は、レール９の断面の円形の外形に対応して、半円形を有する。
【００１３】
（支持部１１）
円リング状のレール９の下方の背部には、連続してアルミパイプからなる支持部１１が設けられる。支持部１１により、レール９は起こした状態で支持され、画像表示器３を見やすくする。
【００１４】
（ストッパー１３）
画像表示器３は、画面に略平行な面内で回動可能になるが、変更された回動角度は、ストッパー１３により所定位置で固定される。
すなわち、図１において、フレーム５の上方中央部に設けられた舌状金具２１の先端に第１ピン孔２３が形成される。また、円リング状レールには、上方半分において、７箇所に等間隔で板状の延設部分２５が延設される。これらの延設部分２５に各々第２ピン孔が形成される。そして、第１ピン孔２３と、選択された延設部分２５の第２ピン孔にストッパーピン２９が挿通される。選択は、横向きになっている人３１の顔３３の姿勢、あるいはその人３１の好みにより、行われる。この実施形態では回動角度は３０度ごとに選択できる。挿通によって、画像表示器３を固定できる。
【００１５】
「実施形態の効果」
この実施形態によれば、円リング状のレール９上を車輪７により移動することで画像表示器３の回動角度を変更できる（図２）。よって、画像表示器３の姿勢に対して人３１の顔３３の姿勢がずれていても、画像表示器３の姿勢を変更できることとなる。このため両者の姿勢を一致させることで対応し画像表示器３を見やすくできる（図３）。
【００１６】
さらに、車輪７を４箇所に設けることで画像表示器３をレール９に対して安定して支持できる。また、レール９を円形断面のアルミパイプとすることで、レール９を安価に製造でき、装置コストを抑えられる。
さらに、ストッパー１３は、二つのピン孔に挿通されるストッパーピン２９により構成することで、ストッパー機能を確実なものとし、簡易な構成により装置コストを抑えられる。
【００１７】
「他の実施形態」
以上の実施形態では、車輪７はフレーム５の周囲の４箇所に設けられたが、他の実施形態では、フレーム５の周囲の３箇所、あるいは５箇所以上でも良い。
以上の実施形態では、レール９は、アルミパイプからなり断面は円形を有するものであったが、他の実施形態では、アルミ以外の金属でもかまわない。また、円形以外の他の断面でもかまわない。たとえば、図４（Ｂ）に示すように、矩形であってもよい。これに合わせて、車輪７の嵌合溝１９の形状も矩形にする。これにより嵌合が外れにくくできる。
【００１８】
また、車輪７とレール９の嵌合が外れにくいように、車輪７を嵌合方向へ付勢するバネを設けることもできる。
以上の実施形態では、レール９に連続して支持部１１が設けられるものであったが、他の実施形態では、レール９と支持部１１がピン連結され、このピン連結の部分をきつくすることによって、支持部１１に対するレール９の起立角度を調整可能にできる。
【００１９】
以上の実施形態では、画像表示器３の回動角度は３０度ごとに選択できるものであったが、他の実施形態では、さらに多くの第２ピン孔を設けることで細かな回動角度の選択が可能になる。あるいは、画像表示器３の固定を、車軸１７に車輪７を固定し移動不能にすることで行うことができる。固定する車輪７は１つでもよいし、複数でもよい。車輪７を固定することで、任意の回動角度の選択が可能になる。
【図面の簡単な説明】
【００２０】
【図１】この発明の一実施形態にかかる装置を示す全体図で、（Ａ）は正面図、（Ｂ）は側面図である。
【図２】図１の装置の作用を示す図である。
【図３】図１の装置の使用状態を示す図である。
【図４】（Ａ）は図１の装置のＩＶ−ＩＶ部分の断面図を示し、（Ｂ）は他の実施形態における同様部分の断面図を示す。
【符号の説明】
【００２１】
１…画像表示器支持装置、３…画像表示器、５…フレーム、７…車輪、９…レール、１１…支持部、１３…ストッパー、１５…枠、１７…車軸、１９…嵌合溝、２１…舌状金具、２３…第１ピン孔、２５…延設部分、２７…第２ピン孔、２９…ストッパーピン、３１…人、３３…顔。
【図１】
2008298806.tif 000003
【図２】
2008298806.tif 000004
【図３】
2008298806.tif 000005
【図４】
2008298806.tif 000006